(57)【要約】【課題】辞書ユーザからの情報により辞書の内容を更新するための辞書情報更新装置であり、電子辞書ユーザにて発見された誤植の情報に基づいて容易に辞書内容を更新すること。【解決手段】ユーザ電子辞書２０（３０）における辞書検索に伴い内蔵辞書データ２２ｘによる検索結果にて誤植を発見した場合、当該誤植箇所を指定すると共にその誤植情報を辞書管理サーバ１０へ送信すると、サーバ１０では電子辞書２０から受信された誤植情報がマスタ辞書データ１２ｂに対し修正を要する誤植であるか否かが所定のチェック機能あるいは辞書出版社担当に対する誤植通知の確認により判断される。誤植と確認された場合はマスタ辞書データ１２ｂの該当個所が修正されると共に、その誤植訂正用パッチデータ１２ｃが謝礼のサービスポイントや礼状メールと共に前記誤植通知元のユーザ電子辞書２０へ送信される。【選択図】　　図１
2004062306.tif 000002
【特許請求の範囲】
【請求項１】
ネットワークを介した端末との通信機能を有する辞書情報更新装置であって、
見出し語とその説明内容とを対応付けて記憶する辞書記憶手段と、
前記端末から見出し語とその説明内容についての修正情報とを受信する修正情報受信手段と、
この修正情報受信手段により受信された見出し語とその説明内容についての修正情報とについて、修正の要否を判別する判別手段と、
この判別手段により修正要と判別された修正情報に従い、前記辞書記憶手段により記憶された見出し語の説明内容について修正する修正手段と、
を備えたことを特徴とする辞書情報更新装置。
【請求項２】
前記判別手段は、
前記修正情報による説明内容の修正対象部分を定型的にチェックして修正の要否を判別する第１の判別手段と、
この第１の判別手段により修正否と判別された場合に、前記辞書記憶手段により記憶される見出し語とその説明内容との作成関係者端末に送信して、この作成関係者端末からの返信情報に応じて前記修正情報による修正の要否を判別する第２の判別手段とを有する、
ことを特徴とする請求項１に記載の辞書情報更新装置。
【請求項３】
さらに、
前記修正手段により修正された前記辞書記憶手段により記憶された説明内容についての更新情報を、前記修正情報受信手段により受信した修正情報の送信元端末へ送信する更新情報送信手段を備えたことを特徴とする請求項１または請求項２に記載の辞書情報更新装置。
【請求項４】
さらに、
前記修正情報受信手段により受信された見出し語とその説明内容についての修正情報について、前記修正手段により既に見出し語の説明内容についての修正がされたか否かを判断する修正有無判断手段と、
この修正有無判断手段により既に見出し語の説明内容についての修正がされたと判断された場合には、お礼のメッセージと共に前記修正手段により修正された前記辞書記憶手段により記憶された説明内容についての更新情報を、前記修正情報受信手段により受信した修正情報の送信元端末へ送信するお礼・更新情報送信手段と、
を備えたことを特徴とする請求項１乃至請求項３の何れか１項に記載の辞書情報更新装置。
【請求項５】
さらに、
前記端末から見出し語とその説明内容についての追加の情報を受信する追加情報受信手段と、
この追加情報受信手段により受信された追加の情報を前記辞書記憶手段により記憶された見出し語とその説明内容に関係付けて記憶する追加情報記憶手段と、
前記端末から検索対象の見出し語を受信する検索見出し語受信手段と、
この検索見出し語受信手段により受信された見出し語に対応付けられて、前記辞書記憶手段により記憶された説明内容を検索する辞書検索手段と、
この辞書検索手段により検索された見出し語に対応する説明内容を、前記追加情報記憶手段により当該見出し語とその説明内容に関係付けられて記憶された追加の情報がある場合には該追加の情報と共に前記端末へ送信し、追加の情報がない場合には前記見出し語に対応する説明内容だけ前記端末へ送信する検索結果送信手段と、
を備えたことを特徴とする請求項１乃至請求項４の何れか１項に記載の辞書情報更新装置。
【請求項６】
ネットワークを介した端末との通信機能を有する辞書情報更新装置のコンピュータを制御するための辞書情報更新処理プログラムであって、
前記コンピュータを、
見出し語とその説明内容とを対応付けて記憶する辞書記憶手段、
前記端末から見出し語とその説明内容についての修正情報を受信する修正情報受信手段、
この修正情報受信手段により受信された見出し語とその説明内容についての修正情報について、修正の要否を判別する判別手段、
この判別手段により修正要と判別された修正情報に従い、前記辞書記憶手段により記憶された見出し語の説明内容について修正する修正手段、
として機能させるようにしたコンピュータ読み込み可能な辞書情報更新処理プログラム。
【発明の詳細な説明】
【０００１】
【発明の属する技術分野】
本発明は、辞書ユーザからの情報により辞書の内容を更新するための辞書情報更新装置および辞書情報更新処理プログラムに関する。
【０００２】
【従来の技術】
従来の辞書としては、英和辞典，和英辞典，国語辞典など、各種書籍の辞書が一般に利用されてきた。
【０００３】
また、最近では、携帯性や辞書引き作業の容易さから電子辞書も広く利用されるようになっている。
【０００４】
このような辞書において、当該辞書のユーザが誤植を発見した場合、ユーザによっては、辞書の出版社に対して誤植の内容を知らせることがあり、この場合、辞書の出版社では、ユーザから知らされた誤植の内容のレベルに応じて図書券などの謝礼を当該ユーザに差し与える慣例がある。
【０００５】
【発明が解決しようとする課題】
しかしながら、電子辞書の利用ユーザがその辞書データ上に誤植を発見した場合について、この誤植の内容を電子辞書メーカや内蔵辞書データの出版社などに知らせることは特に行われていない現状にある。
【０００６】
本発明は、前記のような問題に鑑みてなされたもので、電子辞書ユーザにて発見された誤植の情報に基づいて容易に辞書内容を更新することが可能になる辞書情報更新装置および辞書情報更新処理プログラムを提供することを目的とする。
【０００７】
【課題を解決するための手段】
すなわち、本発明の請求項１に係る辞書情報更新装置は、ネットワークを介した端末との通信機能を有する辞書情報更新装置であって、
見出し語とその説明内容とを対応付けて記憶する辞書記憶手段と、前記端末から見出し語とその説明内容についての修正情報とを受信する修正情報受信手段と、この修正情報受信手段により受信された見出し語とその説明内容についての修正情報とについて、修正の要否を判別する判別手段と、この判別手段により修正要と判別された修正情報に従い、前記辞書記憶手段により記憶された見出し語の説明内容について修正する修正手段と、を備えたことを特徴とする。
【０００８】
このような、本発明の請求項１に係る辞書情報更新装置では、ネットワーク上の端末から見出し語とその説明内容についての修正情報とが修正情報受信手段により受信されると、この受信された見出し語とその説明内容についての修正情報とについて修正の要否が判別手段により判別される。そして、この判別手段により修正要と判別された場合には、その修正情報に従い、辞書記憶手段により記憶された見出し語の説明内容について修正手段により修正される。
【０００９】
これにより、端末での辞書検索に伴い辞書の誤植が発見された場合の当該端末からの修正情報に応じて、辞書記憶手段により記憶された見出し語の説明内容についての誤植部分を修正できることになる。
【００１０】
また、本発明の請求項２に係る辞書情報更新装置は、前記請求項１に係る辞書情報更新装置にあって、前記判別手段は、前記修正情報による説明内容の修正対象部分を定型的にチェックして修正の要否を判別する第１の判別手段と、この第１の判別手段により修正否と判別された場合に、前記辞書記憶手段により記憶される見出し語とその説明内容との作成関係者端末に送信して、この作成関係者端末からの返信情報に応じて前記修正情報による修正の要否を判別する第２の判別手段とを有する、ことを特徴とする。
【００１１】
このような、本発明の請求項２に係る辞書情報更新装置では、第１の判別手段により、修正情報による説明内容の修正対象部分を定型的にチェックして修正の要否が判別され、これにより修正否と判別された場合には、辞書記憶手段により記憶される見出し語とその説明内容との作成関係者端末に送信して、この作成関係者端末からの返信情報に応じて前記修正情報による修正の要否が判別される。
【００１２】
これにより、修正の要否を適切且つ確実に判別して、辞書記憶手段により記憶された見出し語の説明内容についての誤植部分を修正できることになる。
【００１３】
また、本発明の請求項３に係る辞書情報更新装置は、前記請求項１または請求項２に係る辞書情報更新装置にあって、さらに、前記修正手段により修正された前記辞書記憶手段により記憶された説明内容についての更新情報を、前記修正情報受信手段により受信した修正情報の送信元端末へ送信する更新情報送信手段を備えたことを特徴とする。
【００１４】
このような、本発明の請求項３に係る辞書情報更新装置では、修正手段により修正された前記辞書記憶手段により記憶された説明内容についての更新情報が、更新情報送信手段によって前記修正情報受信手段により受信した修正情報の送信元端末へ送信される。
【００１５】
これにより、端末内蔵の辞書に記憶された見出し語の説明内容についての誤植部分も適切に修正できることになる。
【００１６】
また、本発明の請求項４に係る辞書情報更新装置は、前記請求項１乃至請求項３の何れか１項に係る辞書情報更新装置にあって、さらに、前記修正情報受信手段により受信された見出し語とその説明内容についての修正情報について、前記修正手段により既に見出し語の説明内容についての修正がされたか否かを判断する修正有無判断手段と、この修正有無判断手段により既に見出し語の説明内容についての修正がされたと判断された場合には、お礼のメッセージと共に前記修正手段により修正された前記辞書記憶手段により記憶された説明内容についての更新情報を、前記修正情報受信手段により受信した修正情報の送信元端末へ送信するお礼・更新情報送信手段と、を備えたことを特徴とする。
【００１７】
このような、本発明の請求項４に係る辞書情報更新装置では、修正情報受信手段により受信された見出し語とその説明内容についての修正情報について、修正手段により既に見出し語の説明内容についての修正がされたか否かが修正有無判断手段によって判断され、この修正有無判断手段により既に見出し語の説明内容についての修正がされたと判断された場合には、お礼・更新情報送信手段によって、お礼のメッセージと共に前記修正手段により修正された前記辞書記憶手段により記憶された説明内容についての更新情報が、前記修正情報受信手段により受信した修正情報の送信元端末へ送信される。
【００１８】
これにより、辞書の修正情報を通知した端末に対し、当該修正情報が既に対応済みであった場合でも、相応のお礼メッセージと共に端末辞書の誤植修正用の更新情報を提供できることになる。
【００１９】
また、本発明の請求項５に係る辞書情報更新装置は、請求項１乃至請求項４の何れか１項に係る辞書情報更新装置にあって、さらに、前記端末から見出し語とその説明内容についての追加の情報を受信する追加情報受信手段と、この追加情報受信手段により受信された追加の情報を前記辞書記憶手段により記憶された見出し語とその説明内容に関係付けて記憶する追加情報記憶手段と、前記端末から検索対象の見出し語を受信する検索見出し語受信手段と、この検索見出し語受信手段により受信された見出し語に対応付けられて、前記辞書記憶手段により記憶された説明内容を検索する辞書検索手段と、この辞書検索手段により検索された見出し語に対応する説明内容を、前記追加情報記憶手段により当該見出し語とその説明内容に関係付けられて記憶された追加の情報がある場合には該追加の情報と共に前記端末へ送信し、追加の情報がない場合には前記見出し語に対応する説明内容だけ前記端末へ送信する検索結果送信手段と、を備えたことを特徴とする。
【００２０】
このような、本発明の請求項５に係る辞書情報更新装置では、端末から見出し語とその説明内容についての追加の情報が追加情報受信手段により受信されると、この受信された追加の情報は前記辞書記憶手段により記憶された見出し語とその説明内容に関係付けられて追加情報記憶手段によって記憶される。そして、前記端末から検索対象の見出し語が検索見出し語受信手段によって受信されると、この受信された見出し語に対応付けられて、前記辞書記憶手段により記憶された説明内容が辞書検索手段によって検索される。すると、検索された見出し語に対応する説明内容が、検索結果送信手段によって、前記追加情報記憶手段により当該見出し語とその説明内容に関係付けられて記憶された追加の情報がある場合には該追加の情報と共に前記端末へ送信され、追加の情報がない場合には前記見出し語に対応する説明内容だけ前記端末へ送信される。
【００２１】
これにより、端末から通知された見出し語とその説明内容についての追加の情報を、辞書の見出し語とその説明内容に関係付けて記憶させ、この追加の情報をその後の各端末からの辞書検索に応じた検索結果として提供できることになる。
【００２２】
【発明の実施の形態】
以下、図面を参照して本発明の実施の形態について説明する。
【００２３】
（第１実施形態）
図１は本発明の第１実施形態に係る辞書情報更新システムの全体構成およびその辞書管理サーバ１０の電子回路の構成を示すブロック図である。
【００２４】
この辞書情報更新システムは、インターネットなどの通信ネットワークＮに接続した辞書管理サーバ１０を備え、辞書ユーザが携帯端末（ＰＤＡ：ｐｅｒｓｏｎａｌ　ｄｉｇｉｔａｌ　ａｓｓｉｓｔａｎｔｓ）として使用する携帯機器Ａ（ＰＣリンク電子辞書）２０や携帯機器Ｂ（無線電子辞書）３０と接続可能に構成される。
【００２５】
携帯機器Ａ（ＰＣリンク電子辞書）２０は、データシンクロなどの必要に応じて当該携帯機器Ａ２０のユーザ自宅ＰＣ（ｐｅｒｓｏｎａｌ　ｃｏｍｐｕｔｅｒ）として利用される通信機器（ＰＣ）４０との接続に伴い通信ネットワークＮ（インターネットなど）を介して前記辞書管理サーバ１０と接続され、携帯機器Ｂ（無線電子辞書）３０は、ネット情報検索などの必要に応じて当該携帯機器Ｂ３０自身の有する無線通信接続機能により通信ネットワークＮを介して前記辞書管理サーバ１０と接続される。
【００２６】
携帯機器Ａ（ＰＣリンク電子辞書）２０および携帯機器Ｂ（無線電子辞書）３０には、英和，和英，国語など、各機器の仕様に応じた各種の辞書データが記憶内蔵されており、電子辞書として機能する。
【００２７】
これ以降、携帯機器Ａ２０をＰＣリンク電子辞書２０、携帯機器Ｂを無線電子辞書３０、通信機器（ＰＣ）４０を自宅ＰＣ４０と称する。
【００２８】
なお、辞書管理サーバ１０は、例えば前記ＰＣリンク電子辞書２０や無線電子辞書３０の製造・販売メーカのＷｅｂサーバ、あるいは当該各電子辞書２０，３０に内蔵される辞書データをＣＤ−ＲＯＭ販売やダウンロード販売する会社のＷｅｂサーバであり、この辞書管理サーバ１０において記憶管理される辞書データ１２ｂが各電子辞書２０，３０における内蔵辞書データのマスタ辞書データとなる。
【００２９】
辞書管理サーバ１０は、各種の記録媒体に記録されたプログラム、又は、伝送されたプログラムを読み込んで、その読み込んだプログラムによって動作が制御されるコンピュータによって構成され、その電子回路には、ＣＰＵ（ｃｅｎｔｒａｌ　ｐｒｏｃｅｓｓｉｎｇ　ｕｎｉｔ）１１が備えられる。
【００３０】
ＣＰＵ１１は、メモリ１２内に予め記憶されたサーバ制御プログラム、あるいはＣＤ−ＲＯＭなどの外部記録媒体１３から記録媒体読取部１４を介して前記メモリ１２に読み込まれたサーバ制御プログラム、あるいは通信ネットワーク（インターネット）Ｎ上のＷｅｂサーバ（この場合はプログラムサーバ）から電送制御部１５を介して前記メモリ１２に読み込まれたサーバ制御プログラムに応じて、回路各部の動作を制御する。
【００３１】
前記メモリ１２に記憶されたサーバ制御プログラムは、電送制御部１５を介して接続される通信ネットワーク（インターネット）Ｎ上のＰＣリンク電子辞書２０（自宅ＰＣ４０経由）や無線電子辞書３０との通信信号、あるいはその他の各Ｗｅｂサーバとの通信信号、キーやマウス，タッチパネルなどからなる入力部１６からのオペレータ操作に応じた入力信号に応じて起動される。
【００３２】
前記ＣＰＵ１１には、前記メモリ１２、記録媒体読取部１４、電送制御部１５、入力部１６が接続される他に、表示部１７などが接続される。
【００３３】
メモリ１２には、当該辞書管理サーバ１０の全体の動作を司るシステムプログラムや電送制御部１５を介して通信ネットワーク（インターネット）Ｎ上の各電子辞書２０（４０），３０やＷｅｂサーバとデータ通信するための通信プログラムが記憶される他に、各電子辞書２０，３０との接続通信に伴い通知取得される当該各電子辞書２０，３０からの辞書誤植情報に応じた誤植確認処理や修正処理などを行うための誤植対応・確認処理プログラム１２ａ、英和，和英，国語などの各ジャンル別辞書のマスタ辞書データ１２ｂ、前記誤植情報に応じて修正されたマスタ辞書データ１２ｂ上の訂正部分のデータが誤植訂正用パッチデータ１２ｃとして記憶される。
【００３４】
また、このメモリ１２には、ユーザ端末である各電子辞書２０…，３０…毎にその辞書誤植情報を取得蓄積するための個別辞書端末データメモリ部１２Ａ…が備えられ、この個別辞書端末データメモリ部１２Ａには、各対応するユーザ電子辞書の認証ＩＤ・銀行口座番号・現在サービスポイントが記憶されるユーザＩＤメモリ１２ｄ、当該ユーザ所有の電子辞書２０（３０）から受信取得された第１の誤植情報が記憶される誤植情報▲１▼メモリ１２ｅ、第２の誤植情報が記憶される誤植情報▲２▼メモリ１２ｆ…などが用意される。
【００３５】
また、メモリ１２には、各ユーザ電子辞書２０，３０から通知取得された誤植情報の誤植レベルに応じて該当ユーザに謝礼としてのサービスポイントを提供するための当該誤植レベルとポイント値とを対応付けた誤植対応サービスポイントテーブル１２ｇ、各ユーザ電子辞書２０，３０に対する返信メールのフォーマットデータや辞書出版社担当者に対する誤植通知メールのフォーマットデータなどが記憶されたメールフォーマットデータメモリ１２ｈ、前記マスタ辞書データ１２ｂを出版販売している辞書出版社の担当者のメールアドレスが記憶された辞書出版社担当メールアドレスメモリ１２ｉ、送信メールデータおよび受信メールデータが記憶される送受信メールデータメモリ１２ｊなどが用意される。
【００３６】
図２は前記辞書情報更新システムにおける携帯機器Ａ（ＰＣリンク電子辞書）２０の電子回路の構成を示すブロック図である。
【００３７】
この携帯機器Ａ（ＰＣリンク電子辞書）２０は、各種の記録媒体に記録されたプログラム、又は、伝送されたプログラムを読み込んで、その読み込んだプログラムによって動作が制御されるコンピュータによって構成され、その電子回路には、ＣＰＵ（ｃｅｎｔｒａｌ　ｐｒｏｃｅｓｓｉｎｇ　ｕｎｉｔ）２１が備えられる。
【００３８】
ＣＰＵ２１は、メモリ２２内に予め記憶された携帯機器プログラム、あるいはＲＯＭカードなどの外部記録媒体２３から記録媒体読取部２４を介して前記メモリ２２に読み込まれた携帯機器制御プログラム、あるいは通信ネットワーク（インターネット）Ｎ上のＷｅｂサーバ（この場合はプログラムサーバ）から自宅ＰＣ４０および通信部２５を介して前記メモリ２２に読み込まれた携帯機器制御プログラムに応じて、回路各部の動作を制御する。
【００３９】
なお、このＰＣリンク電子辞書２０の通信部２５は、Ｂｌｕｅｔｏｏｔｈを用いた近距離無線通信接続やＲＳ２３２Ｃ接続によって構成される。
【００４０】
前記メモリ２２に記憶された携帯機器制御プログラムは、キーやタッチパネルなどからなる入力部２６からのユーザ操作に応じた入力信号、通信部２５から自宅ＰＣ４０を介して接続される通信ネットワーク（インターネット）Ｎ上の辞書管理サーバ１０との通信信号、あるいはその他の各Ｗｅｂサーバとの通信信号に応じて起動される。
【００４１】
前記ＣＰＵ２１には、前記メモリ２２、記録媒体読取部２４、通信部２５、入力部２６が接続される他に、表示部２７などが接続される。
【００４２】
メモリ２２には、当該ＰＣリンク電子辞書２０の全体の動作を司るシステムプログラムや通信部２５を介して通信機器（自宅ＰＣ）４０そして該通信機器（自宅ＰＣ）４０を経由して通信ネットワーク（インターネット）Ｎ上の辞書管理サーバ１０とデータ通信するための通信プログラムが記憶される他に、内蔵辞書に対する検索処理、誤植情報の登録処理、辞書管理サーバ１０に対する登録誤植情報の送信処理、当該誤植情報の送信に応答した辞書管理サーバ１０からの誤植修正パッチファイルなどの返信データ受信処理を行うための辞書端末処理プログラム２２ａなどが記憶される。
【００４３】
また、このメモリ２２には、本電子辞書２０に内蔵された辞書それぞれのコンテンツデータが記憶された内蔵辞書データメモリ２２ｘ、前記登録誤植情報の送信に応じて辞書管理サーバ１０から受信された内蔵辞書データ（２２ｘ）に対する訂正部分のパッチデータが記憶される誤植訂正用パッチデータメモリ２２ｙ、本電子辞書２０の認証ＩＤ・銀行口座番号・現在サービスポイントが記憶されるユーザＩＤメモリ２２ｂ、本電子辞書２０での辞書検索に伴い登録指示された第１の誤植情報が記憶される誤植情報▲１▼メモリ２２ｃ、第２の誤植情報が記憶される誤植情報▲２▼メモリ２２ｄ…などが用意される。
【００４４】
なお、携帯機器Ｂ（無線電子辞書）３０の電子回路の構成は、前記携帯機器Ａ（ＰＣリンク電子辞書）２０と略同様であるため図示を省略するが、この無線電子辞書３０は、ＰＨＳ（ｐｅｒｓｏｎａｌ　ｈａｎｄｙ　ｐｈｏｎｅ　ｓｙｓｔｅｍ）などを使用した無線通信部によって通信ネットワーク（インターネット）Ｎ上の各Ｗｅｂサーバ（１０）と通信接続可能に構成される。
【００４５】
そして、この無線電子辞書３０も、その全体の動作を司るシステム機能や無線通信部を介して通信ネットワーク（インターネット）Ｎ上の辞書管理サーバ１０とデータ通信するための通信機能、内蔵辞書に対する検索機能、誤植情報の登録機能、辞書管理サーバ１０に対する登録誤植情報の送信機能、当該誤植情報の送信に応答した辞書管理サーバ１０からの誤植修正パッチファイルなどの返信データ受信機能など、前記ＰＣリンク電子辞書２０と同様の機能が備えられる。
【００４６】
一方、通信機器（自宅ＰＣ）４０は、ＰＣリンク電子辞書２０との間で接続通信を図る通信部と、通信ネットワーク（インターネット）Ｎ上の辞書管理サーバ１０や他のＷｅｂサーバとの間で接続通信を図る電送制御部とを備え、ＰＣリンク電子辞書２０とネットサーバ（１０）とを接続する中継器として機能する。
【００４７】
次に、前記構成の第１実施形態の辞書情報更新システムによる辞書情報更新機能について説明する。
【００４８】
図３は前記辞書情報更新システムの電子辞書２０（３０）による誤植情報の登録処理を示すフローチャートである。
【００４９】
図４は前記辞書情報更新システムの電子辞書２０（３０）による誤植情報の送信処理を示すフローチャートである。
【００５０】
図５は前記辞書情報更新システムの電子辞書２０（３０）による誤植情報の登録処理に伴う辞書検索画面での誤植行指定入力状態を示す図である。
【００５１】
ここでは、ユーザがＰＣリンク電子辞書２０使用している場合について説明する。
【００５２】
ＰＣリンク電子辞書２０の入力部２６の操作により辞書検索モードを設定し、例えば図５で示すように、検索対象語として「成人の日」と入力表示させて検索実行されると、当該入力された検索対象語と一致する見出し語「成人の日」が、内蔵辞書データメモリ２２ｘに記憶された辞書データの中から検索され、この検索された見出し語に対応付けられた説明内容「国民の祝日…」が読み出されて表示部２７に表示される（ステップＡ１）。
【００５３】
この所望の見出し語に対応する説明内容が検索表示された辞書検索画面の表示状態にあって、ユーザが誤植「国民の祝日…１月１５日？…」を発見した場合に、入力部２６の誤植キーが操作されて誤植情報の登録が指定され、表示画面上のカーソルｋにより前記誤植の存在する該当行が指定されると共に、当該誤植に対応する修正情報が入力された後に決定キーが操作されると、この辞書データ上での指定された誤植該当行および対応入力された修正情報が誤植情報として誤植情報▲１▼メモリ２２ｃに記憶される（ステップＡ２→Ａ３）。
【００５４】
このＰＣリンク電子辞書２０では、前記辞書検索画面での見出し語検索表示に伴い誤植が発見されてその誤植情報がしてい入力された場合には、その都度、誤植情報がメモリ２２内の各誤植情報ｎメモリ２２ｃ，２２ｄ，…に対して順次登録される（ステップＡ１〜Ａ３）。
【００５５】
前述の図３における誤植情報の登録処理において説明したように、電子辞書２０（３０）にて検索辞書の誤植情報が記憶登録された状態で、ＰＣリンク電子辞書２０が自宅ＰＣ４０と接続され、当該自宅ＰＣ４０が通信ネットワーク（インターネット）Ｎに接続された場合に、入力部２６の「送信」キーが操作されると、メモリ２２内の誤植情報▲１▼メモリ２２ｃ，誤植情報▲２▼メモリ２２ｄ，…にそれぞれ登録されている各検索辞書の誤植情報が読み出され、通信部２５を介して自宅ＰＣ４０へ送信される（ステップＡ４）。
【００５６】
そして、前記自宅ＰＣ４０を経由して通信ネットワークＮ上にある辞書管理サーバ１０と接続されると、前記ＰＣリンク電子辞書２０から自宅ＰＣ４０へ送信転送された各検索辞書の誤植情報が辞書管理サーバ１０へそのまま送信転送される（ステップＡ５）。
【００５７】
図６は前記辞書情報更新システムの辞書管理サーバ１０による誤植情報の対応処理を示すフローチャートである。
【００５８】
図７は前記辞書情報更新システムの辞書管理サーバ１０による誤植情報の対応処理に伴う確認処理を示すフローチャートである。
【００５９】
前記電子辞書２０（３０）における誤植情報の登録・送信処理によって当該辞書管理サーバ１０へ送信転送された検索辞書の誤植情報が電送制御部１５を介して受信取得されると（ステップＢ１）、当該電子辞書２０（３０）に対応する個別辞書端末データメモリ部１２Ａの誤植情報ｎメモリ１２ｅ，１２ｆ，…に既に登録されている同一の誤植情報であるか否か判断される（ステップＢ２）。
【００６０】
ここで、今回の電子辞書２０（３０）から通知受信された誤植情報が誤植情報ｎメモリ１２ｅ，１２ｆ，…に登録されていない新たな誤植情報であると判断されると、当該誤植情報ｎメモリ１２ｅ，１２ｆ，…に登録された後、図７における確認処理に移行される（ステップＢ２→ＢＣ）。
【００６１】
すると、前記誤植情報ｎメモリ１２ｅ，１２ｆ，…に登録された今回の誤植情報が綴り（スペル）ミスであるか、あるいは文脈（文法）ミスであるのかが、所定のスペルチャック機能，文法チェック機能によりチェックされて判断される（ステップＣ１，Ｃ２）。
【００６２】
ここで、今回の誤植情報が綴り（スペル）ミスである、あるいは文脈（文法）ミスであると判断された場合には、誤植であることが認定確認される（ステップＣ３）。
【００６３】
一方、今回の誤植情報が綴り（スペル）ミス、あるいは文脈（文法）ミスの何れでもないと判断された場合には、メールアドレスメモリ１２ｉに記憶されている該当辞書の出版担当者端末のメールアドレスに対して今回の誤植情報が通知される（ステップＣ４）。
【００６４】
すると、前記該当辞書の出版担当者端末への誤植情報の通知メールに応答して、当該辞書出版担当者端末より返信された誤植であるか誤植でないかの判定情報が記入された判定結果メールが、電送制御部１５を介して受信される（ステップＣ５）。
【００６５】
ここで、判定結果メールの内容を判別し、修正要であると判別されると、誤植と認定される（ステップＣ６→Ｃ３）。また、判定結果メールの内容を判別し、修正不要であると判別されると、修正情報はなしとして処理される。
【００６６】
すると、前記確認処理（ステップＢＣ）によって、誤植と自動認定されたか（ステップＣ３）、または辞書出版担当者より返信された誤植判定結果メール（ステップＣ５）に基づいて、今回の誤植情報が誤植として確認されたか否かが判断される（ステップＢ３）。
【００６７】
ここで、今回の誤植情報が誤植として確認された場合には、当該誤植情報ｎメモリ１２ｅ，１２ｆ，…に記憶された今回の誤植情報に従って、マスタ辞書データ１２ｂの対応箇所が正しく改められて更新され、更新されたマスタ辞書データ１２ｂの訂正部分の内容が誤植訂正用パッチデータ１２ｃとして記憶される（ステップＢ３→Ｂ４）。
【００６８】
すると、今回の誤植情報の通知に対するお礼状のメールフォーマットがメールフォーマットデータメモリ１２ｈから読み出されると共に、当該誤植のレベルに応じた謝礼のサービスポイントが誤植対応サービスポイントテーブル１２ｇに従い設定され、前記誤植訂正用パッチデータ１２ｃと共に誤植通知元である電子辞書２０（３０）に対して送信される（ステップＢ５）。
【００６９】
一方、今回の誤植情報が誤植として確認されない場合には、誤植でない旨を通知するメールフォーマットがメールフォーマットデータメモリ１２ｈから読み出され、誤植通知元である電子辞書２０（３０）に対して送信される（ステップＢ３→Ｂ６）。
【００７０】
一方、前記ステップＢ２において、今回の電子辞書２０（３０）から通知受信された誤植情報が誤植情報ｎメモリ１２ｅ，１２ｆ，…に既に登録された重複の誤植情報であると判断された場合には、今回の誤植情報の通知に対するお礼状のメールフォーマットがメールフォーマットデータメモリ１２ｈから読み出されると共に、当該誤植のレベルに応じた謝礼（重複通知用）のサービスポイントが誤植対応サービスポイントテーブル１２ｇに従い設定され、既に訂正されたマスタ辞書データ１２ｂの訂正内容に対応して記憶されている誤植訂正用パッチデータ１２ｃと共に誤植通知元である電子辞書２０（３０）に対して送信される（ステップＢ２→Ｂ７）。
【００７１】
これにより、辞書管理サーバ１０では、ユーザ電子辞書２０（３０）から受信された誤植情報に従って、当該誤植情報が正しい誤植情報であることを確認した後に、マスタ辞書データ１２ｂの誤植部分を修正することができ、しかもその誤植訂正用パッチデータ１２ｃに謝礼のサービスポイントを付加して誤植通知元のユーザ電子辞書２０（３０）へ送ることができる。
【００７２】
図８は前記辞書情報更新システムの電子辞書２０（３０）による誤植応答受信処理を示すフローチャートである。
【００７３】
前記図３および図４における誤植情報の登録処理および送信処理により辞書検索に伴う誤植の情報を登録し辞書管理サーバ１０へ送信通知した電子辞書２０（３０）において、入力部２６における「受信」キーが操作されると（ステップＡ６）、前記辞書管理サーバ１０における誤植情報の対応処理に従い当該電子辞書２０（３０）へ応答送信されたお礼状のメールデータおよび謝礼サービスポイントおよび誤植訂正用パッチデータが通信部２５を介して受信される（ステップＡ７）。
【００７４】
そして、お礼状のメールデータは表示部２７に表示され、謝礼サービスポイントはメモリ２２内のユーザＩＤメモリ２２ｂに記憶され、誤植訂正用パッチデータはメモリ２２内の誤植訂正用パッチデータメモリ２２ｙに記憶されて内蔵辞書データ（２２ｘ）の該当の誤植箇所が更新される。
【００７５】
なお、前記ユーザＩＤメモリ２２ｂに記憶されたサービスポイントは、この電子辞書２０（３０）用の内蔵辞書データ２２ｘとして新たな辞書データを前記辞書管理サーバ１０からのダウンロードにより購入する場合やＣＤ−ＲＯＭにより購入する場合などにおいて、割引ポイントとして使用される。
【００７６】
したがって、前記構成の第１実施形態の辞書情報更新システムによれば、ユーザ電子辞書２０（３０）における辞書検索に伴い、内蔵辞書データ２２ｘによる検索結果にて誤植を発見した場合に、当該誤植箇所を指定すると共にその誤植情報を辞書管理サーバ１０へ送信すると、辞書管理サーバ１０では、ユーザ電子辞書２０（３０）から受信された誤植情報が、マスタ辞書データ１２ｂに対し修正を要する誤植であるか否かが、スペルチェック機能や文法チェック機能あるいは辞書出版社担当に対する誤植通知の確認により判断される。そして、誤植と確認された場合には、マスタ辞書データ１２ｂの該当個所が修正されると共に、その修正部分に対応する誤植訂正用パッチデータ１２ｃが、謝礼のサービスポイントや礼状メールと共に前記誤植情報通知元のユーザ電子辞書２０（３０）へ送信されるので、電子辞書２０（３０）の製造・販売者やマスタ辞書データ１２ｂの出版社は、非常に簡単に多数の電子辞書ユーザから広く誤植の情報を収集することができ、当該辞書データの内容をより完成度の高い辞書へ容易に更新できるようになる。また、ユーザ側でも自身の内蔵辞書データ２２ｘを、取得した誤植訂正用パッチデータ２２ｙによって簡単に更新することができ、しかも取得したサービスポイントを同メーカからの辞書コンテンツなどの購入に利用できるようになる。
【００７７】
なお、前記第１実施形態の辞書情報更新システムでは、ユーザ電子辞書２０（３０）における辞書検索に際して、その内蔵辞書データ２２ｘに誤植が発見された場合に、当該誤植情報を辞書管理サーバ１０へ通知し、辞書管理サーバ１０では、誤植であることが確認された場合にマスタ辞書データ１２ｂの該当個所を誤植情報に基づき修正変更するのと共に、その修正部分の誤植訂正用パッチデータ１２ｃを誤植通知元のユーザ電子辞書２０（３０）へ返送することで、内蔵辞書データ２２ｘは誤植を訂正して更新できると共に、これ以降に辞書管理サーバ１０から配信するマスタ辞書データ１２ｂを誤植のない辞書にできる構成としたが、次の第２実施形態において説明するように構成してもよい。
【００７８】
すなわち、図９，図１０で示すように、辞書検索そのものをユーザの通信端末２０′から通信ネットワーク（インターネット）Ｎ上の辞書管理サーバ１０′へアクセス（ネット検索）することで行い、このネット検索に際して辞書管理サーバ１０′から検索された見出し語の説明内容に対して訂正・追加の情報がある場合には、当該検索見出し語に対応する訂正追加情報として辞書管理サーバ１０′へ送信する。そして、これ以降の同一見出し語に対する各ユーザ通信端末２０′からの辞書管理サーバ１０′に対するネット検索に際しては、当該検索見出し語の説明内容と共にその訂正追加情報も検索結果として通信端末２０′へ応答送信し、見出し語に対するユーザによる訂正・追加の情報を各ユーザが共有して閲覧できる構成としてもよい。
【００７９】
（第２実施形態）
図９は本発明の第２実施形態に係る辞書情報更新システムの全体の構成を示す図である。
【００８０】
この第２実施形態では、第１の実施形態で記載の内容を実行できると共に、以下の追加機能を有する。
【００８１】
この第２実施形態に係る辞書情報更新システムでは、まず、図９（Ａ）に示すように、通信端末２０′はインターネットなどの通信ネットワークＮを介して辞書管理サーバ１０′へアクセスして辞書検索を行う。
【００８２】
この際、通信端末２０′において、辞書管理サーバ１０′から検索結果として受信された見出し語に対応する説明内容に関して、ユーザが気づいた訂正や追加の情報がある場合には、図９（Ｂ）（Ｃ）で示すように、サーバ掲示板への書込を選択して当該見出し語の説明内容に関する訂正・追加の情報を入力し、辞書管理サーバ１０′へ送信する。
【００８３】
こうして通信端末２０′から辞書管理サーバ１０′に受信された検索見出し語に対応する訂正・追加の情報は、当該見出し語の説明内容に対応付けられて記憶管理される。
【００８４】
これにより、これ以降、図９（Ｄ）で示すように、辞書管理サーバ１０′において、ユーザによる訂正・追加の情報が対応付けられて記憶管理されている見出し語を検索対象語として通信端末２０′からの辞書検索が行われた場合には、当該見出し語の説明内容と共に対応記憶された訂正・追加の情報が検索結果として読み出され通信端末２０′へ応答送信される。
【００８５】
図１０は前記第２実施形態に係る辞書情報更新システムによる辞書検索処理に伴う追加情報管理処理を示すフローチャートであり、同図（Ａ）はその通信端末処理を示すフローチャート、同図（Ｂ）はその辞書管理サーバ処理を示すフローチャートである。
【００８６】
通信端末２０′において辞書検索を行う場合に、インターネットなどの通信ネットワークＮを介して辞書管理サーバ１０′と接続して辞書検索用ＨＰにアクセスし（ステップＤ１）、この辞書検索ＨＰ画面において、検索対象語の見出し語を入力すると、入力された検索対象見出し語が辞書管理サーバ１０′へ送信される（ステップＤ２）。
【００８７】
辞書管理サーバ１０′において、前記通信端末２０′からのアクセスに伴い辞書検索ＨＰとの接続が図られ（ステップＥ１）、端末２０′において入力された検索対象見出し語が受信されると（ステップＥ２）、受信された検索対象見出し語に対応付けられて辞書データ（１２ｂ）に記憶されている説明（意味）内容が検索される（ステップＥ３）。
【００８８】
ここで、辞書管理サーバ１０′では、検索対象見出し語に対応付けられて辞書データ（１２ｂ）内に記憶されている説明（意味）内容に対し、さらに追加の情報が対応付けられて記憶されているか否か判断される（ステップＥ４）。
【００８９】
そして、追加の情報無しと判断された場合には、前記検索対象見出し語に対応付けられて検索された説明（意味）内容が辞書データ（１２ｂ）から読み出されて検索元の通信端末２０′へ送信される（ステップＥ４→Ｅ５）。
【００９０】
一方、前記検索対象見出し語に対応付けられて辞書データ（１２ｂ）内に記憶されている説明（意味）内容に対し、さらに追加の情報が対応付けられて記憶されていると判断された場合には、当該検索対象見出し語に対応付けられた説明（意味）内容が、さらに対応付けられた追加の情報付きで辞書データ（１２ｂ）から読み出されて検索元の通信端末２０′へ送信される（ステップＥ４→Ｅ６）。
【００９１】
通信端末２０′において、前記検索対象見出し語の送信に応答して辞書管理サーバ１０′から送信された検索結果データが受信されると、この受信された検索見出し語とその説明内容または検索見出し語とその説明内容および追加の情報からなる検索結果データが表示部２７に表示される（ステップＤ３）。
【００９２】
この通信端末２０′における検索見出し語に対応する検索結果データの受信表示状態において、当該検索結果に対する訂正や追加の対応情報がある場合に、追加情報書き込みの指示操作を行うと、前記検索見出し語に対応する追加情報の入力画面が表示される（ステップＤ４→Ｄ５）。
【００９３】
この検索見出し語に対応する追加情報の入力画面にあって、当該見出し語の説明内容に対する訂正や見出し語に関する更なる情報を追加の情報として入力すると、この入力された追加の情報が辞書管理サーバ１０′へ送信される（ステップＤ５）。
【００９４】
辞書管理サーバ１０′において、前記通信端末２０′から送信された今回の検索見出し語に対応する追加の情報が受信されると（ステップＥ７）、当該見出し語に対応付けられた辞書データ（１２ｂ）の説明（意味）内容とは別にさらに対応付けられて記憶される（ステップＥ８）。
【００９５】
したがって、前記構成の第２実施形態の辞書情報更新システムによれば、通信端末２０′からインターネットなどの通信ネットワークＮを介して辞書管理サーバ１０′へアクセスして辞書検索（ネット辞書検索）を行った際に、検索対象見出し語に対応付けられてサーバ辞書データ（１２ｂ）から検索されて通信端末２０′に受信された説明内容に対し、その誤植訂正情報や関連情報などとしてユーザが追加の情報を入力すると、入力された追加の情報はサーバ１０′へ送信されて該当の見出し語説明内容にさらに対応付けされて記憶される。そしてこれ以降、ユーザ通信端末２０′…からの辞書検索アクセスに伴う前記同一見出し語の辞書検索に際しては、当該検索対象見出し語の説明内容と共に追加の情報も検索結果データとして読み出されて通信端末２０′へ応答送信されるので、ネット辞書検索での見出し語説明内容の関連情報としてユーザが任意に入力した追加の情報を各ユーザ間で共有することができ、辞書管理サーバ１０′において記憶されるマスタ辞書データ１２ｂの内容をユーザ情報によってより充実させ、常に時代に即した最新の辞書情報を提供できるようになる。
【００９６】
なお、この第２実施形態の辞書情報更新システムにおいても、前記第１実施形態の辞書情報更新システムと同様に、ユーザ通信端末２０′から辞書管理サーバ１０′に得られた検索対象見出し語に関する追加の情報の内容に応じて、お礼状メールやサービスポイントを当該ユーザ通信端末２０′へ送信して提供する構成としてもよい。
【００９７】
また、前記第２実施形態の辞書情報更新システムにおいて、ユーザ通信端末２０′から辞書管理サーバ１０′へのネット辞書検索に際し、当該辞書管理サーバ１０′内の辞書データ（１２ｂ）に未登録の新たな見出し語とその説明内容をユーザ通信端末２０′により任意入力して新語辞書候補として辞書管理サーバ１０′へ送信する。そして、他のユーザ通信端末２０′…からのネット辞書検索に伴う新語辞書としての登録有無の判定入力により、前記新たな見出し語とその説明内容を新たな辞書データとして登録するか否かを決定して登録する構成としてもよい。
【００９８】
図１１は前記第２実施形態の辞書情報更新システムにおいてユーザ通信端末２０′により新語辞書登録を行う場合の表示動作を示す図であり、同図（Ａ）は辞書管理サーバ１０′への辞書検索に伴い選択された新語辞書登録画面を示す図、同図（Ｂ）は辞書管理サーバ１０′への辞書検索に伴い当該サーバ１０′から通信端末２０′へ送信される新語辞書登録候補選択画面を示す図、同図（Ｃ）は通信端末２０′において選択された新語辞書登録候補の登録有無判定画面を示す図である。
【００９９】
すなわち、ユーザ通信端末２０′から辞書管理サーバ１０′へのネット辞書検索に伴い、検索対象見出し語の入力送信に応答してサーバ１０′から受信された当該見出し語の説明内容が表示された状態で、例えばその説明内容が古い時代のものであったり、あるいは最近の新たな解釈が存在するものであったりする場合に、新語の登録を操作指示すると、図１１（Ａ）で示すような新語辞書登録画面が表示される。
【０１００】
ここで、ユーザが登録したい任意の新語の見出し語の読み、表記、説明内容を入力すると、当該入力された新語辞書登録候補のデータがユーザ通信端末２０′から辞書管理サーバ１０′へ送信される。
【０１０１】
そして、他の通信端末２０′…から辞書管理サーバ１０′への辞書検索アクセスに伴い、当該サーバ１０′へ記憶されている新語辞書登録候補に対する判定要求操作を行うと、図１１（Ｂ）で示すような新語辞書登録候補の選択画面が表示される。
【０１０２】
この新語辞書登録候補の選択画面において、任意の登録候補を選択すると、図１１（Ｃ）で示すような選択された新語辞書登録候補の登録有無判定画面が表示され、ここで登録の有無を判定入力することで、辞書管理サーバ１０′内の辞書データ（１２ｂ）に対してユーザ入力された最新の新語辞典データが追加登録される。
【０１０３】
これにより、辞書管理サーバ１０′では、多数のユーザ通信端末２０′とのアクセスに伴い、現在登録の無いあるいは登録情報の古い辞書データを最新の登録情報として受信して追加登録できるようになる。
【０１０４】
なお、前記各実施形態において記載した辞書情報更新システムにおける辞書管理サーバ１０（１０′）や各電子辞書２０（３０）、通信端末２０′による各処理の手法、すなわち、図３のフローチャートに示す電子辞書２０（３０）による誤植情報登録処理、図４のフローチャートに示す電子辞書２０（３０）による誤植情報送信処理、図６のフローチャートに示す辞書管理サーバ１０による誤植情報対応処理、図７のフローチャートに示す辞書管理サーバ１０による誤植情報対応処理に伴う確認処理、図８のフローチャートに示す電子辞書２０（３０）による誤植応答受信処理、図１０（Ａ）のフローチャートに示す第２実施形態の辞書情報更新システムの通信端末２０′による端末処理、図１０（Ｂ）のフローチャートに示す第２実施形態の辞書情報更新システムの辞書管理サーバ１０′によるサーバ処理などの各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１３，２３に格納して配布することができる。そして、通信ネットワーク（インターネット）Ｎとの通信機能を備えた種々のコンピュータ端末は、この外部記録媒体１３，２３に記憶されたプログラムを記録媒体読取部１４，２４によってメモリ１２，２２に読み込み、この読み込んだプログラムによって動作が制御されることにより、前記各実施形態において説明した辞書情報更新機能を実現し、前述した手法による同様の処理を実行することができる。
【０１０５】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末から前記のプログラムデータを取り込み、前述した辞書情報更新機能を実現することもできる。
【０１０６】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１０７】
【発明の効果】
以上のように、本発明の請求項１（請求項６）に係る辞書情報更新装置（辞書情報更新装置のコンピュータを制御するための辞書情報更新処理プログラム）によれば、ネットワーク上の端末から見出し語とその説明内容についての修正情報が受信されると、この受信された見出し語とその説明内容についての修正情報について修正の要否が判別される。そして、修正要と判別された場合には、その修正情報に従い、記憶された見出し語の説明内容について修正することができる。このため、端末での辞書検索に伴い、例えば辞書の誤植が発見された場合の当該端末からの修正情報に応じて、辞書記憶手段により記憶された見出し語の説明内容についての誤植部分を修正できるようになる。また、誤植ではないが、制度や時代の変化に応じて、記載内容が古くなり、新しい内容の記載にすべき場合も適切に修正できるようになる。
【０１０８】
また、本発明の請求項２に係る辞書情報更新装置によれば、修正情報による説明内容の修正対象部分を定型的にチェックして修正の要否が判別され、これにより修正否と判別された場合には、辞書記憶手段により記憶される見出し語とその説明内容との作成関係者端末に送信して、この作成関係者端末からの返信情報に応じて前記修正情報による修正の要否が判別されるので、修正の要否を適切且つ確実に判別して、辞書記憶手段により記憶された見出し語の説明内容についての誤植部分を修正できるようになる。
【０１０９】
また、本発明の請求項３に係る辞書情報更新装置によれば、修正された前記辞書記憶手段により記憶された説明内容についての更新情報が、前記修正情報の送信元端末へ送信されるので、端末内蔵の辞書に記憶された見出し語の説明内容についての誤植部分も適切に修正できるようになる。
【０１１０】
また、本発明の請求項４に係る辞書情報更新装置によれば、端末から受信された見出し語とその説明内容についての修正情報について、既に見出し語の説明内容についての修正がされたか否かが判断され、既に見出し語の説明内容についての修正がされたと判断された場合には、お礼のメッセージと共に前記修正された辞書の見出し語の説明内容についての更新情報が、前記修正情報の送信元端末へ送信されるので、辞書の修正情報を通知した端末に対し、当該修正情報が既に対応済みであった場合でも、相応のお礼メッセージと共に端末辞書の誤植修正用の更新情報を提供できるようになる。
【０１１１】
また、本発明の請求項５に係る辞書情報更新装置によれば、端末から見出し語とその説明内容についての追加の情報が受信されると、この受信された追加の情報は辞書記憶手段により記憶された見出し語とその説明内容に関係付けられて記憶される。そして、前記端末から検索対象の見出し語が受信されると、この受信された見出し語に対応付けられて、前記辞書記憶手段により記憶された説明内容が辞書検索手段によって検索され、この検索された見出し語に対応する説明内容が、当該見出し語とその説明内容に関係付けられて記憶された追加の情報がある場合には該追加の情報と共に前記端末へ送信され、追加の情報がない場合には前記見出し語に対応する説明内容だけ前記端末へ送信されるので、端末から通知された見出し語とその説明内容についての追加の情報を、辞書の見出し語とその説明内容に関係付けて記憶させ、この追加の情報をその後の各端末からの辞書検索に応じた検索結果として提供できるようになる。
【０１１２】
よって、電子辞書ユーザにて発見された誤植（記載内容の更新も含む）の情報に基づいて容易に辞書内容を更新することが可能になる。
【図面の簡単な説明】
【図１】本発明の第１実施形態に係る辞書情報更新システムの全体構成およびその辞書管理サーバ１０の電子回路の構成を示すブロック図。
【図２】前記辞書情報更新システムにおける携帯機器Ａ（ＰＣリンク電子辞書）２０の電子回路の構成を示すブロック図。
【図３】前記辞書情報更新システムの電子辞書２０（３０）による誤植情報の登録処理を示すフローチャート。
【図４】前記辞書情報更新システムの電子辞書２０（３０）による誤植情報の送信処理を示すフローチャート。
【図５】前記辞書情報更新システムの電子辞書２０（３０）による誤植情報の登録処理に伴う辞書検索画面での誤植行指定入力状態を示す図。
【図６】前記辞書情報更新システムの辞書管理サーバ１０による誤植情報の対応処理を示すフローチャート。
【図７】前記辞書情報更新システムの辞書管理サーバ１０による誤植情報の対応処理に伴う確認処理を示すフローチャート。
【図８】前記辞書情報更新システムの電子辞書２０（３０）による誤植応答受信処理を示すフローチャート。
【図９】本発明の第２実施形態に係る辞書情報更新システムの全体の構成を示す図。
【図１０】前記第２実施形態に係る辞書情報更新システムによる辞書検索処理に伴う追加情報管理処理を示すフローチャートであり、同図（Ａ）はその通信端末処理を示すフローチャート、同図（Ｂ）はその辞書管理サーバ処理を示すフローチャート。
【図１１】前記第２実施形態の辞書情報更新システムにおいてユーザ通信端末２０′により新語辞書登録を行う場合の表示動作を示す図であり、同図（Ａ）は辞書管理サーバ１０′への辞書検索に伴い選択された新語辞書登録画面を示す図、同図（Ｂ）は辞書管理サーバ１０′への辞書検索に伴い当該サーバ１０′から通信端末２０′へ送信される新語辞書登録候補選択画面を示す図、同図（Ｃ）は通信端末２０′において選択された新語辞書登録候補の登録有無判定画面を示す図。
【符号の説明】
１０（１０′）…辞書管理サーバ
２０…携帯機器Ａ（ＰＣリンク電子辞書）
３０　…携帯機器Ｂ（無線電子辞書）
４０　…通信機器（自宅ＰＣ）
２０′…通信端末
１１、２１…ＣＰＵ
１２、２２…メモリ
１２Ａ…個別辞書端末データメモリ部
１２ａ…誤植対応・確認処理プログラム
１２ｂ…マスタ辞書データ
１２ｃ…誤植訂正用パッチデータ
１２ｄ…ユーザＩＤメモリ
１２ｅ…誤植情報▲１▼メモリ
１２ｆ…誤植情報▲２▼メモリ
１２ｇ…誤植対応サービスポイントテーブル
１２ｈ…メールフォーマットデータメモリ
１２ｉ…辞書出版社担当メールアドレスメモリ
１２ｊ…送受信メールデータメモリ
２２ａ…辞書端末処理プログラム
２２ｘ…内蔵辞書データ
２２ｙ…誤植訂正用パッチデータ
２２ｂ…ユーザＩＤメモリ
２２ｃ…誤植情報▲１▼メモリ
２２ｄ…誤植情報▲２▼メモリ
１３、２３…外部記録媒体
１４、２４…記録媒体読取部
１５…電送制御部
２５…通信部
１６、２６…入力部
１７、２７…表示部
Ｎ　…通信ネットワーク（インターネット）
ｋ　…カーソル
【図１】
2004062306.tif 000003
【図２】
2004062306.tif 000004
【図３】
2004062306.tif 000005
【図４】
2004062306.tif 000006
【図５】
2004062306.tif 000007
【図６】
2004062306.tif 000008
【図７】
2004062306.tif 000009
【図８】
2004062306.tif 000010
【図９】
2004062306.tif 000011
【図１０】
2004062306.tif 000012
【図１１】
2004062306.tif 000013